(57)【要約】【課題】エレベータでの情報表示のための作業を容易にし、かつ表示のための電力消費を抑制する。【解決手段】メンテナンス員が、情報端末１４への予め定められた操作を行なうことで、更新用の表示情報が表示制御装置１３に送信されるとともに、更新のための電力が表示制御装置１３に供給される。表示制御装置１３は、情報端末１４からの電力を電子ペーパ１１に供給するとともに、情報端末１４からの更新用の表示情報を電子ペーパ１１に送信することで、当該電子ペーパ１１の表示情報を更新する。電子ペーパ１１の表示情報は、表示制御装置１３からの次回の表示情報の送信まで維持される。【選択図】      図１
2009046265.tif 000002
【特許請求の範囲】
【請求項１】
乗りかごやつり合いおもりの少なくとも一方に取り付けられた電子ペーパと、
前記電子ペーパの表示用情報を送信するための外部装置と接続され、当該外部装置から送信された前記表示用情報を前記電子ペーパに表示させる表示制御手段と
を備えたことを特徴とするエレベータ。
【請求項２】
乗りかごやつり合いおもりの少なくとも一方に取り付けられ、テールコードに接続される電子ペーパと、
前記電子ペーパの表示用情報を送信するための、制御盤の設置箇所付近の外部装置と接続され、当該外部装置から送信された前記表示用情報を前記テールコードを介して前記電子ペーパに表示させる表示制御手段と
を備えたことを特徴とするエレベータ。
【請求項３】
乗りかごやつり合いおもりの少なくとも一方に取り付けられる電子ペーパと、
前記電子ペーパの表示用情報を送信するための、前記乗りかご内の外部装置と接続され、当該外部装置から送信された前記表示用情報を前記電子ペーパに表示させる表示制御手段と
を備えたことを特徴とするエレベータ。
【請求項４】
乗りかごやつり合いおもりの少なくとも一方に取り付けられ、テールコードに接続される電子ペーパと、
乗り場に設置されて前記電子ペーパの表示用情報を送信するための外部装置と接続され、当該外部装置から送信された前記表示用情報を前記テールコードを介して前記電子ペーパに表示させる表示制御手段と
を備えたことを特徴とするエレベータ。
【請求項５】
乗りかごやつり合いおもりの少なくとも一方に取り付けられ、テールコードに接続される電子ペーパと、
エレベータ監視室に設置されて前記電子ペーパの表示用情報を送信するための外部装置と接続され、当該外部装置から送信された前記表示用情報を前記テールコードを介して前記電子ペーパに表示させる表示制御手段と
を備えたことを特徴とするエレベータ。
【請求項６】
乗りかごやつり合いおもりの少なくとも一方に取り付けられ、テールコードに接続される電子ペーパと、
エレベータ遠隔監視センタに設置されて前記電子ペーパの表示用情報を送信する外部装置と通信回線を介して接続され、当該外部装置から送信された前記表示用情報を前記テールコードを介して前記電子ペーパに表示させる表示制御手段と
を備えたことを特徴とするエレベータ。
【請求項７】
乗りかごやつり合いおもりの少なくとも一方に取り付けられた電子ペーパと、
前記乗りかごの運行時間帯に応じた表示用情報を記憶する記憶手段と、
前記記憶手段に記憶された表示用情報のうち、前記乗りかごの現在の運行時間帯に応じた表示用情報を前記電子ペーパに表示させる表示制御手段と
を備えたことを特徴とするエレベータ。
【請求項８】
乗りかごやつり合いおもりの少なくとも一方に取り付けられた電子ペーパと、
前記乗りかごの運行状況に応じた表示用情報を記憶する記憶手段と、
前記記憶手段に記憶された表示用情報のうち、前記乗りかごの現在の運行状況に応じた表示用情報を前記電子ペーパに表示させる表示制御手段と
を備えたことを特徴とするエレベータ。
【発明の詳細な説明】
【技術分野】
【０００１】
本発明は、乗りかごやつり合いおもりの少なくとも一方に表示装置を取り付けたエレベータに関する。
【背景技術】
【０００２】
近年、駅構内などでエレベータの昇降路がガラス張りになっているエレベータが多く設置されるようになってきた。このようなエレベータにおいて、例えば特許文献１に開示されるように、エレベータの乗りかごやつり合いおもりに広告などを設けたものがある。
【０００３】
図９は、従来のエレベータにおける情報表示の形態の概略を示す図である。このエレベータは、乗りかご３１とつり合いおもり３２が懸架されたワイヤロープを電動機３３が制御盤３４による制御にしたがって移動させることによって、乗りかご３１を昇降させる。
【０００４】
このエレベータでは、乗りかご３１の外壁に広告用の紙４１を貼り付けており、つり合いおもり３２に広告用の紙４２を貼り付けている。
【０００５】
駅のホームように、人が多く集まり待ち時間があるような場所においては、広告による宣伝効果が大きく、乗りかご３１の昇降で表示が移動することにより、さらに人の注目を集めやすい。
【０００６】
また、駅のホーム階と改札階を結ぶ２階床停止のエレベータにおいては、各階において乗りかごまたはつり合いおもりが存在することになるので、広告表示を人に見せる時間を長くとることができる。
【特許文献１】特開２００３−２４６５６７号公報
【発明の開示】
【発明が解決しようとする課題】
【０００７】
しかし、近年のエレベータにおいては、昇降路の空間をできるだけ小さくするものが多く、乗りかご外壁やつり合いおもりの広告の紙を張替える作業が非常に困難である。
【０００８】
このような張替え作業を無くすには、紙ではなく液晶パネルや発光ダイオードパネルなどを乗りかご外壁やつり合いおもりに設置することが考えられるが、液晶パネルや発光ダイオードパネルを表示媒体とした表示器は、紙と比較して重量が重い上、表示状態を維持する間は常に電力の供給が必要であり、多大な電力消費を要してしまう。
【０００９】
そこで、本発明の目的は、情報表示のための作業を容易にし、かつ表示のための電力消費を抑制することが可能になるエレベータを提供することにある。
【課題を解決するための手段】
【００１０】
すなわち、本発明に係わるエレベータは、乗りかごやつり合いおもりの少なくとも一方に取り付けられた電子ペーパと、電子ペーパの表示用情報を送信するための外部装置と接続され、当該外部装置から送信された表示用情報を電子ペーパに表示させる表示制御手段とを備えたことを特徴とする。
【発明の効果】
【００１１】
本発明によれば、エレベータでの情報表示のための作業を容易にし、かつ表示のための電力消費を抑制することができる。
【発明を実施するための最良の形態】
【００１２】
以下図面により本発明の実施形態について説明する。  
（第１の実施形態）
まず、本発明の第１の実施形態について説明する。図１は、本発明の第１の実施形態にしたがったエレベータの表示装置の取り付け形態の概略を示す図である。  
この実施形態にしたがったエレベータは、乗りかご１とつり合いおもり２を備える、つるべ式のエレベータである。乗りかご１は、電動機３のモータ軸に設けられたシーブに巻き掛けられたロープを介してつり合いおもり２と連結される。乗りかご１は、テールコード５を介して乗りかご１に接続される制御盤４による制御にともなう電動機３の駆動によるシーブの回転に伴い、つり合いおもり２とともに互いに上下反対方向に昇降する。
【００１３】
このエレベータでは、乗りかご１の外壁の側面に、広告などの情報の表示を行なうための電子ペーパ１１が貼り付けられ、つり合いおもり２の側面に電子ペーパ１２が貼り付けられる。
【００１４】
電子ペーパ１１には、当該電子ペーパ１１への情報表示制御、つまり情報表示開始、書き換え、消去を行なうための表示制御装置１３が接続される。この表示制御装置１３は乗りかご１の上に設置される。また、電子ペーパ１２には、当該電子ペーパ１２への情報表示制御を行なうための表示制御装置１３ｂが接続される。この表示制御装置１３ｂはつり合いおもり２の上に設置される。
【００１５】
このエレベータの昇降路はガラス張りになっている。よって、昇降路の外にいる乗客は、電子ペーパ１１，１２に表示された情報を見ることができる。  
この実施形態において、乗りかご１の外壁に貼り付けた電子ペーパ１１の表示を更新する際には、メンテナンス員が乗りかご１の上に乗り、電子ペーパ１１に接続される表示制御装置１３に例えばパーソナルコンピュータなどの情報端末１４を接続する。
【００１６】
情報端末１４の図示しない記憶装置には電子ペーパ１１，１２への更新用の表示情報が記憶される。メンテナンス員が、情報端末１４への予め定められた操作を行なうことで、更新用の表示情報が表示制御装置１３に送信されるとともに、表示更新のための電力が表示制御装置１３に供給される。
【００１７】
表示制御装置１３は、情報端末１４からの電力を電子ペーパ１１に供給するとともに、情報端末１４からの更新用の表示情報を電子ペーパ１１に送信することで、当該電子ペーパ１１の表示情報を更新する。
【００１８】
メンテナンス員は、表示情報の送信が完了した後は、表示制御装置１３と情報端末１４の接続を外すことで、作業が完了となる。作業完了後は、表示制御装置１３からの次回の表示情報の送信まで、電子ペーパ１１の表示が維持される。
【００１９】
また、つり合いおもり２に貼り付けた電子ペーパ１２の表示を更新する際には、メンテナンス員が乗りかご１の上に乗り、つり合いおもり２が乗りかご１と並ぶ程度まで乗りかご１を移動する。
【００２０】
その後、つり合いおもり２の上の表示制御装置１３ｂに情報端末１４を接続し、メンテナンス員が、情報端末１４への予め定められた操作を行なうことで、更新用の表示情報が表示制御装置１３ｂに送信されるとともに、表示更新のための電力が表示制御装置１３ｂに供給される。
【００２１】
表示制御装置１３ｂは、情報端末１４からの電力を電子ペーパ１２に供給するとともに、情報端末１４からの更新用の表示情報を電子ペーパ１２に送信することで、当該電子ペーパ１２の表示情報を更新する。
【００２２】
メンテナンス員は、表示情報の送信が完了した後は、表示制御装置１３ｂと情報端末１４の接続を外すことで、作業が完了となる。作業完了後は、表示制御装置１３ｂからの次回の表示情報の送信まで、電子ペーパ１２の表示が維持される。
【００２３】
また、乗りかご１の外壁に貼り付けた電子ペーパ１１の表示を消去する際には、メンテナンス員が表示消去のための情報端末１４への予め定められた操作を行なうことで、消去を示す情報が表示制御装置１３に送信されるとともに、表示消去のための電力が表示制御装置１３に供給される。
【００２４】
表示制御装置１３は、情報端末１４からの電力を電子ペーパ１１に供給するとともに、表示消去を示す情報を電子ペーパ１１に送信することで、当該電子ペーパ１１の表示情報を消去する。
【００２５】
以上説明したように、本発明の第１の実施形態にしたがったエレベータでは、乗りかご１やつり合いおもり２への表示媒体に電子ペーパを用い、この電子ペーパの表示内容を情報端末１４への操作により制御する構成としたので、メンテナンス員による表示更新のための作業が容易になるばかりでなく、表示更新のためにメンテナンス員が乗りかご１やつり合いおもり２に取り付けられた表示媒体を直に手にとって交換する必要がなくなるので、作業の安全性が大幅に向上する。また、表示媒体に液晶を用いる場合と比較して、重量が軽くなるばかりでなく、表示のための電力を大幅に抑えることができる。
【００２６】
本実施形態では、表示制御装置１３，１３ｂを乗りかご１の上やつり合いおもり２の上にそれぞれ設置しているが、１台の表示制御装置１３を電子ペーパ１１，１２に着脱可能に接続できる構成とすることで、メンテナンス員が表示制御装置１３と情報端末１４をともに持ち運べるようにすることも可能である。
【００２７】
また、表示制御装置１３，１３ｂは、設置位置を乗りかご１の上とつり合いおもり２の上として、電子ペーパ１１，１２の表示更新のための電力供給用の電池を内蔵した上で、情報端末１４との間のワイヤレス伝送の機能を持たせる構成としてもよい。
【００２８】
この場合、表示制御装置１３，１３ｂが、情報端末１４からの更新用の表示情報の受信とともに、表示更新用の電力を内蔵電池から電子ペーパ１１，１２に供給するとともに、情報端末１４からの更新用の表示情報を電子ペーパ１１，１２に送信することで、当該電子ペーパ１１，１２の表示情報を更新すればよい。
【００２９】
このような構成とすることで、メンテナンス員が乗りかご１上やつり合いおもり２上に乗らなくても電子ペーパ１１，１２の表示を更新することができる。また、この構成をとれば、表示更新作業をメンテナンス員に限ることなく行なうことができる。
【００３０】
（第２の実施形態）
次に、本発明の第２の実施形態について説明する。なお、本実施形態に係る構成のうち図１に示したものと同一部分の説明は省略する。  
図２は、本発明の第２の実施形態にしたがったエレベータの表示装置の取り付け形態の概略を示す図である。  
この実施形態では、第１の実施形態で示した表示制御装置１３，１３ｂを設ける代わりに、１台の表示制御装置１３が機械室内の制御盤４内に設けられる。
【００３１】
また、この実施形態では、第１の実施形態と同様に、乗りかご１の外壁には電子ペーパ１１が貼り付けられ、つり合いおもり２には電子ペーパ１２が貼り付けられる。ただし、電子ペーパ１１はテールコード５を経由して制御盤４内の表示制御装置１３と接続され、電子ペーパ１２はテールコード１５を経由して制御盤４内の表示制御装置１３と接続される。
【００３２】
この実施形態において、乗りかご１やつり合いおもり２に貼り付けた電子ペーパ１１，１２の表示を更新する際には、メンテナンス員は、制御盤４が設置される機械室に入り、この制御盤４内に設けられた表示制御装置１３に情報端末１４を接続する。
【００３３】
そして、メンテナンス員が、情報端末１４への予め定められた操作を行なうことで、更新用の表示情報が表示制御装置１３に送信されるとともに、表示更新のための電力が表示制御装置１３に供給される。
【００３４】
表示制御装置１３は、情報端末１４からの電力を、テールコード５を介して電子ペーパ１１に供給するとともに、情報端末１４からの更新用の表示情報を、テールコード５を介して電子ペーパ１１に送信することで、当該電子ペーパ１１の表示情報を更新する。
【００３５】
また、表示制御装置１３は、情報端末１４からの電力を、テールコード１５を介して電子ペーパ１２に供給するとともに、情報端末１４からの更新用の表示情報を、テールコード１５を介して電子ペーパ１２に送信することで、当該電子ペーパ１２の表示情報を更新する。
【００３６】
以上説明したように、本発明の第２の実施形態にしたがったエレベータでは、第１の実施形態で説明した効果に加え、メンテナンス員は機械室に入って電子ペーパの表示更新作業を行えばよいので、乗りかご１やつり合いおもり２の上に乗る必要がなくなる。よって、表示更新作業の安全性がより向上する。
【００３７】
本実施形態では、表示制御装置１３を制御盤４に設置しているが、制御盤４内にテールコード５，１５と接続されるコネクタを設け、このコネクタに表示制御装置１３を着脱可能に接続できる構成とすることで、メンテナンス員が表示制御装置１３と情報端末１４をともに持ち運べるようにすることも可能である。
【００３８】
（第３の実施形態）
次に、本発明の第３の実施形態について説明する。なお、以下の各実施形態に係る構成のうち図２に示したものと同一部分の説明は省略する。図３は、本発明の第３の実施形態にしたがったエレベータの表示装置の取り付け形態の概略を示す図である。  
この実施形態では、第２の実施形態と異なり、表示制御装置１３が乗りかご１内に設けられる。
【００３９】
また、この実施形態では、第２の実施形態と同様に、乗りかご１の外壁には電子ペーパ１１が貼り付けられ、つり合いおもり２には電子ペーパ１２が貼り付けられる。ただし、電子ペーパ１１はテールコードを介さずに乗りかご１内の表示制御装置１３と接続され、電子ペーパ１２は、テールコード１５、制御盤４およびテールコード５を介して乗りかご１内の表示制御装置１３と接続される。
【００４０】
この実施形態において、乗りかご１やつり合いおもり２に貼り付けた電子ペーパ１１，１２の表示を更新する際には、メンテナンス員は、乗りかご１内に入り、この乗りかご１内に設けられた表示制御装置１３に情報端末１４を接続する。
【００４１】
そして、メンテナンス員が、情報端末１４への予め定められた操作を行なうことで、更新用の表示情報が表示制御装置１３に送信されるとともに、表示更新のための電力が表示制御装置１３に供給される。
【００４２】
表示制御装置１３は、情報端末１４からの電力を電子ペーパ１１に供給するとともに、情報端末１４からの更新用の表示情報を電子ペーパ１１に送信することで、当該電子ペーパ１１の表示情報を更新する。
【００４３】
また、表示制御装置１３は、情報端末１４からの電力を、テールコード１５、制御盤４およびテールコード５を介して電子ペーパ１２に供給するとともに、情報端末１４からの更新用の表示情報を、テールコード１５、制御盤４およびテールコード５を介して電子ペーパ１２に送信することで、当該電子ペーパ１２の表示情報を更新する。
【００４４】
以上説明したように、本発明の第３の実施形態にしたがったエレベータでは、第２の実施形態で説明した効果に加え、メンテナンス員は乗りかご１内に入って電子ペーパの表示更新作業を行えばよいので、表示更新作業が一層容易となる。
【００４５】
本実施形態では、表示制御装置１３を乗りかご１内に設置しているが、乗りかご１の中に電子ペーパ１１やテールコード５と接続されるコネクタを設け、このコネクタに表示制御装置１３を着脱可能に接続できる構成とすることで、メンテナンス員が表示制御装置１３と情報端末１４をともに持ち運べるようにすることも可能である。
【００４６】
（第４の実施形態）
次に、本発明の第４の実施形態について説明する。図４は、本発明の第４の実施形態にしたがったエレベータの表示装置の取り付け形態の概略を示す図である。  
この実施形態では、第２の実施形態と同様に、表示制御装置１３が機械室内の制御盤４内に設けられる。ただし、表示制御装置１３は、制御盤４から昇降路内に配設されるケーブル２１を介して乗り場のコネクタ２２と接続されており、このコネクタ２２に情報端末１４を接続できる構成となっている。電子ペーパ１１，１２と表示制御装置１３の間の接続形態は、第２の実施形態と同じである。
【００４７】
この実施形態において、乗りかご１およびつり合いおもり２に貼り付けた電子ペーパ１１，１２の表示を更新する際には、メンテナンス員は、コネクタ２２が設けられた乗り場に移動し、この乗り場に設けられたコネクタ２２に情報端末１４を接続する。
【００４８】
そしてメンテナンス員が、情報端末１４への予め定められた操作を行なうことで、更新用の表示情報がコネクタ２２およびケーブル２１を介して表示制御装置１３に送信されるとともに、表示更新のための電力が表示制御装置１３に供給される。以降の表示制御装置１３の動作は第２の実施形態で説明した動作と同じである。
【００４９】
以上説明したように、本発明の第４の実施形態にしたがったエレベータでは、第２の実施形態で説明した効果に加え、メンテナンス員はコネクタ２２が設けられた乗り場に移動して電子ペーパの表示更新作業を行えばよいので、表示更新作業が一層容易となる。
【００５０】
本実施形態では、表示制御装置１３を制御盤４内に設置しているが、制御盤４内にテールコード５，１５に接続される中継装置を設け、この中継装置からケーブルを乗り場まで引いた先のコネクタに表示制御装置１３を着脱自在に接続できる構成とすることで、メンテナンス員が表示制御装置１３と情報端末１４をともに持ち運べるようにすることも可能である。
【００５１】
（第５の実施形態）
次に、本発明の第５の実施形態について説明する。図５は、本発明の第５の実施形態にしたがったエレベータの表示装置の取り付け形態の概略を示す図である。  
この実施形態では、第２の実施形態と同様に、表示制御装置１３が機械室内の制御盤４内に設けられる。ただし、制御盤４内には、エレベータ監視室２３内のエレベータ監視室情報端末１７との間の通信を行なうための監視装置インタフェース１６が表示制御装置１３と接続されて設けられる。つまり表示制御装置１３は、監視装置インタフェース１６経由で、エレベータ監視室２３内のエレベータ監視室情報端末１７と接続される。電子ペーパ１１，１２と表示制御装置１３の間の接続形態は、第２の実施形態と同じである。
【００５２】
また、表示制御装置１３には、電子ペーパ１１，１２の表示更新に必要な分の電力を供給するための電池が内蔵される。  
エレベータ監視室情報端末１７は、通常の機能、つまりエレベータの運行状況などを監視するための機能に加え、電子ペーパ１１，１２の表示更新機能を有する。エレベータ監視室情報端末１７の図示しない記憶装置には、第２の実施形態で説明した情報端末１４と同様に、電子ペーパ１１，１２への更新用の表示情報が記憶される。
【００５３】
この実施形態において、乗りかご１やつり合いおもり２に貼り付けた電子ペーパ１１，１２の表示を更新する際には、エレベータ監視室２３の監視員がエレベータ監視室情報端末１７への予め定められた操作を行なうことで、更新用の表示情報が表示制御装置１３に送信される。
【００５４】
表示制御装置１３は、内蔵電池の電力を表示更新のための電力としてテールコード５を介して電子ペーパ１１に供給するとともに、エレベータ監視室情報端末１７からの更新用の表示情報を、テールコード５を介して電子ペーパ１１に送信することで、当該電子ペーパ１１の表示情報を更新する。
【００５５】
また、表示制御装置１３は、内蔵電池の電力を表示更新のための電力としてテールコード１５を介して電子ペーパ１２に供給するとともに、エレベータ監視室情報端末１７からの更新用の表示情報を、テールコード１５を介して電子ペーパ１２に送信することで、当該電子ペーパ１２の表示情報を更新する。
【００５６】
以上説明したように、本発明の第５の実施形態にしたがったエレベータでは、第２の実施形態で説明した効果に加え、エレベータ監視室２３内の監視員がエレベータ監視室情報端末１７を用いて電子ペーパの表示更新作業を行えばよいので、エレベータ外からでも表示更新作業を行なうことができる。
【００５７】
（第６の実施形態）
次に、本発明の第６の実施形態について説明する。図６は、本発明の第６の実施形態にしたがったエレベータの表示装置の取り付け形態の概略を示す図である。  
この実施形態では、第２の実施形態と同様に、表示制御装置１３が機械室内の制御盤４内に設けられる。ただし、制御盤４内には、エレベータ遠隔監視センタ２４内の監視センタ情報端末１９との間の通信を行なうための遠隔監視装置１８が表示制御装置１３と接続されて設けられる。遠隔監視装置１８は通信回線２５を経由して監視センタ情報端末１９と接続される。つまり表示制御装置１３は、遠隔監視装置１８経由でエレベータ遠隔監視センタ内の監視センタ情報端末１９と接続される。電子ペーパ１１，１２と表示制御装置１３の間の接続形態は、第２の実施形態と同じである。
【００５８】
監視センタ情報端末１９は、通常の機能、つまりエレベータの運行状況などを監視するための機能に加え、電子ペーパ１１，１２の表示更新機能を有する。監視センタ情報端末１９の図示しない記憶装置には、第２の実施形態で説明した情報端末１４と同様に、電子ペーパ１１，１２への更新用の表示情報が記憶される。
【００５９】
この実施形態において、乗りかご１やつり合いおもり２に貼り付けた電子ペーパ１１，１２の表示を更新する際には、エレベータ遠隔監視センタ２４の監視員が、監視センタ情報端末１９への予め定められた操作を行なうことで、更新用の表示情報が表示制御装置１３に送信される。以降の表示制御装置１３の動作は第５の実施形態で説明した動作と同じである。
【００６０】
以上説明したように、本発明の第６の実施形態にしたがったエレベータでは、第２の実施形態で説明した効果に加え、エレベータ遠隔監視センタ２４内の監視員が、監視センタ情報端末１９を用いて電子ペーパの表示更新作業を行えばよいので、エレベータ遠隔監視センタ２４からでも表示更新作業を行なうことができる。
【００６１】
（第７の実施形態）
次に、本発明の第７の実施形態について説明する。図７は、本発明の第７の実施形態にしたがったエレベータの表示装置の取り付け形態の概略を示す図である。  
この実施形態では、第２の実施形態と同様に、表示制御装置１３が機械室内の制御盤４内に設けられる。また、制御盤４内には、エレベータ監視室２３内のエレベータ監視室情報端末１７との間の通信を行なうための監視装置インタフェース１６が表示制御装置１３と接続されて設けられる。電子ペーパ１１，１２と表示制御装置１３の間の接続形態は、第２の実施形態と同じである。
【００６２】
ただし、本実施形態では、エレベータ監視室情報端末１７は、乗りかご１の停止ごと、または時間帯などに応じた更新用の表示情報を送信する機能を有する。  
エレベータ監視室情報端末１７は、乗りかご１の停止ごとに更新用の表示情報を送信するには、停止回数や停止階床に応じた更新用の表示情報を記憶装置に記憶しておき、制御盤４から監視装置インタフェース１６を介して乗りかご１の停止階床を示す信号を入力するごとに、停止回数や停止階床に応じた更新用の表示情報を記憶装置から読み出して監視装置インタフェース１６を介して表示制御装置１３に送信する。
【００６３】
また、エレベータ監視室情報端末１７は、時間帯によって更新用の表示情報を送信するには、時間帯に応じた更新用の表示情報を記憶装置に記憶しておき、内蔵時計により計時した時刻が予め定められた時刻となった場合に、この時刻が属する時間帯に応じた更新用の表示情報を記憶装置から読み出して監視装置インタフェース１６を介して表示制御装置１３に送信する。以降の表示制御装置１３の動作は第５の実施形態で説明した動作と同じである。
【００６４】
図７に示した例は、電子ペーパ１１，１２に個別の情報を表示させた例である。この例では、エレベータ監視室情報端末１７は、予め定められた時間帯となった場合に、「○○フェア開催中」との文字でなる表示用情報を電子ペーパ１１への表示情報である旨を示す制御情報とともに送信し、「７階  ○○物産展」とのとの文字でなる表示用情報を電子ペーパ１２への表示情報である旨を示す制御情報ともに送信する。表示制御装置１３は、これらの表示情報を図７に示すように電子ペーパ１１，１２にそれぞれ表示させる。
【００６５】
以上説明したように、本発明の第７の実施形態にしたがったエレベータでは、第５の実施形態で説明した効果に加え、乗りかご１やつり合いおもり２の電子ペーパ１１，１２の表示内容を自動的に更新することができるので、さまざまな情報を表示することができる。
【００６６】
本実施形態では、エレベータ監視室２３のエレベータ監視室情報端末１７から更新用の情報を自動的に送信する構成としたが、これに限らず図６に示したエレベータ遠隔監視センタ２４内の監視センタ情報端末１９から更新用の情報を自動的に送信する構成としてもよいし、制御盤４内などに表示情報を自動で送信する装置を別途設ける構成とすることも可能である。
【００６７】
（第８の実施形態）
次に、本発明の第８の実施形態について説明する。図８は、本発明の第８の実施形態にしたがったエレベータの表示装置の取り付け形態の概略を示す図である。  
この実施形態では、第２の実施形態と同様に、表示制御装置１３が機械室内の制御盤４内に設けられる。また、この第８の実施形態では情報端末１４は用いない。ただし、制御盤４内には、エレベータの運行状況に応じた表示用情報の送信を行なうためのエレベータ運行状況表示装置２０が表示制御装置１３と接続されて設けられる。
【００６８】
エレベータ運行状況表示装置２０の図示しない記憶装置には、エレベータ運行状況に応じた表示用情報が記憶される。  
また、エレベータ運行状況表示装置２０には、電源供給がカットされた場合の、電子ペーパ１１，１２の表示更新に必要な分の電力を供給するための電池が内蔵される。
【００６９】
制御盤４は、停電や夜間のエレベータ電源カット時に、これを示す電源遮断信号をエレベータ運行状況表示装置２０に送信する。  
エレベータ運行状況表示装置２０は、電源遮断信号を入力した場合に、「運行停止中」などの文字である電源遮断時表示用情報を表示制御装置１３に送信し、表示更新用の電力を内蔵電池から表示制御装置１３に供給する。
【００７０】
また、制御盤４は運転モードがメンテナンス時の運転モードである点検運転モードに切り替わった場合に、これを示す点検時信号をエレベータ運行状況表示装置２０に送信する。
【００７１】
エレベータ運行状況表示装置２０は、点検時信号を入力した場合に、表示制御装置１３に対して、「メンテナンス中」などの文字である点検時表示用情報を送信し、表示更新用の電力を内蔵電池から表示制御装置１３に供給する。
【００７２】
また、制御盤４は、停電が復旧したりエレベータの運行時間帯となって電源が復旧したりした場合に、これを示す復帰信号をエレベータ運行状況表示装置２０に送信する。また、制御盤４は、メンテナンス作業が終了して運転モードが通常運転モードに切り替わった場合に、これを示す復帰信号をエレベータ運行状況表示装置２０に送信する。
【００７３】
エレベータ運行状況表示装置２０の記憶装置には通常時の表示用情報が記憶されており、前述した復帰信号を制御盤４から入力すると、表示制御装置１３に対して、通常時の表示用情報を送信し、表示更新用の電力を内蔵電池から表示制御装置１３に供給する。
【００７４】
また、エレベータ運行状況表示装置２０は、制御盤４からの点検時信号を入力した後で、メンテナンス時において電源がカットされたことにより電源遮断信号を入力した場合、つまり、復帰信号を入力する前に電源遮断信号を入力した場合には、点検時表示用情報の表示の維持が必要であるとして、前述した電源遮断時表示用情報の送信は行わない。
【００７５】
表示制御装置１３は、エレベータ運行状況表示装置２０からの電力を、テールコード５を介して電子ペーパ１１に供給するとともに、エレベータ運行状況表示装置２０からの表示情報を、テールコード５を介して電子ペーパ１１に送信することで、当該電子ペーパ１１の表示情報を更新する。
【００７６】
また、表示制御装置１３は、エレベータ運行状況表示装置２０からの電力を、テールコード１５を介して電子ペーパ１２に供給するとともに、エレベータ運行状況表示装置２０からの表示情報を、テールコード１５を介して電子ペーパ１２に送信することで、当該電子ペーパ１２の表示情報を更新する。
【００７７】
以上説明したように、本発明の第８の実施形態にしたがったエレベータでは、第１の実施形態で説明した効果に加え、エレベータ運行状況を乗りかご外壁やつり合いおもりに表示することで、エレベータ利用客に対してエレベータが利用不可である旨を知らせることができる。
【００７８】
なお、この発明は前記実施形態そのままに限定されるものではなく実施段階ではその要旨を逸脱しない範囲で構成要素を変形して具体化できる。また、前記実施形態に開示される複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００７９】
【図１】本発明の第１の実施形態にしたがったエレベータの表示装置の取り付け形態の概略を示す図。
【図２】本発明の第２の実施形態にしたがったエレベータの表示装置の取り付け形態の概略を示す図。
【図３】本発明の第３の実施形態にしたがったエレベータの表示装置の取り付け形態の概略を示す図。
【図４】本発明の第４の実施形態にしたがったエレベータの表示装置の取り付け形態の概略を示す図。
【図５】本発明の第５の実施形態にしたがったエレベータの表示装置の取り付け形態の概略を示す図。
【図６】本発明の第６の実施形態にしたがったエレベータの表示装置の取り付け形態の概略を示す図。
【図７】本発明の第７の実施形態にしたがったエレベータの表示装置の取り付け形態の概略を示す図。
【図８】本発明の第８の実施形態にしたがったエレベータの表示装置の取り付け形態の概略を示す図。
【図９】従来のエレベータにおける情報表示の形態の概略を示す図。
【符号の説明】
【００８０】
１，３１…乗りかご、２，３２…つり合いおもり、３，３３…電動機、４，３４…制御盤、５，１５…テールコード、１１，１２…電子ペーパ、１３，１３ｂ…表示制御装置、１４…情報端末、１６…監視装置インタフェース、１７…エレベータ監視室情報端末、１８…遠隔監視装置、１９…監視センタ情報端末、２０…エレベータ運行状況表示装置、２１…ケーブル、２２…コネクタ、２３…エレベータ監視室、２４…エレベータ遠隔監視センタ、２５…通信回線、４１，４２…広告用の紙。
【図１】
2009046265.tif 000003
【図２】
2009046265.tif 000004
【図３】
2009046265.tif 000005
【図４】
2009046265.tif 000006
【図５】
2009046265.tif 000007
【図６】
2009046265.tif 000008
【図７】
2009046265.tif 000009
【図８】
2009046265.tif 000010
【図９】
2009046265.tif 000011